(57)【要約】本発明は、スキーの動きで回転される永久磁石と、永久磁石の周りに配置された誘導コイルとを備えた発光スキーに関する。永久磁石の回転が誘導コイル上に誘導電流を発生させ、この誘導電流が発光スキーの電源となる。
2005521493.tif 000002
【特許請求の範囲】
【請求項１】
板と、ビンディングとからなる発光スキーであって、
同一の回転軸を有する回転羽により前記板の上部に回転可能に設けられた永久磁石と、
前記永久磁石の周囲に固定された誘導コイルと、
前記誘導コイルに接続された発光ダイオードを含む発光ユニットとを備えたことを特徴とする発光スキー。
【請求項２】
請求項１に記載の発光スキーであって、
前記発光ユニットは、前記発光ダイオードの光が外部に透過する複数の透過窓を含むことを特徴とする発光スキー。
【発明の詳細な説明】
【技術分野】
【０００１】
本発明は、スキーの動きによって回転される永久磁石と、永久磁石の周りに配置された誘導コイルとを備え、永久磁石の回転が誘導コイル上に誘導電流を発生させ、この誘導電流が電源となる発光スキーに関する。
【背景技術】
【０００２】
一般に、スキーは高速で滑降するため、スキーヤは鮮やかな色のスキーウェアや一定の視界を確保するためのゴーグルを着用し、これにより衝突事故を防止している。
【０００３】
しかし、夜間にスキーをする場合、装身具を視認できず、事故が増加する。監視員が待機していても、事故を防止することは不可能である。
【発明の開示】
【発明が解決しようとする課題】
【０００４】
本発明は、上述した従来の技術の問題を解決するためになされたもので、その目的は、発光ユニットを備えることにより一定の装飾効果をもたらし、夜間でも容易に視認可能な発光スキーを提供することである。
【０００５】
本発明のもう１つの目的は、スイッチ操作やバッテリ交換などの余計な操作を必要とせず、発光ユニットがスキーの動きによって発生する電流を使用して点滅する発光スキーを提供することである。
【課題を解決するための手段】
【０００６】
上述した本発明の目的を達成するために、発光スキーは、板と、ビンディングとからなり、同一の回転軸を有する回転羽により板の上部に回転可能に設けられた永久磁石と、永久磁石の周囲に固定された誘導コイルと、誘導コイルに接続された発光ダイオードを含む発光ユニットとを備える。
【０００７】
本発明の別の目的を達成するために、発光ユニットは、発光ダイオードの光が外部に透過する複数の透過窓を含む。
【発明を実施するための最良の形態】
【０００８】
本発明による発光スキーの好ましい実施の形態を添付図面を参照して説明する。
【０００９】
図１は本発明による発光スキーを示す斜視図であり、図２及び図３は発光スキーの発電器を示す図である。
【００１０】
発光スキーは、板１０と、ビンディング２０と、発光部とからなる。発光部は、発電ユニット３０と、発光ユニット４０とからなる。
【００１１】
発電ユニット３０は、筐体３１と、回転羽３２と、回転軸３３と、永久磁石３４と、誘導コイル３５とからなる。
【００１２】
筐体３１は、回転軸３３と、永久磁石３４と、誘導コイル３５とが支持されかつ装着される本体である。板１０に設置され、好ましくはビンディング２０の後方に設けられる保護部材３６は、回転羽３２を保護するために、筐体３１及び回転羽３２の周囲に形成される。
【００１３】
さらに、筐体３１は板１０の内部又は後部で取り外し可能である。
【００１４】
回転羽３２は回転軸３３の端部外面に設けられ、風により回転される。板状又は特定の方向に傾斜させたプロペラ状の羽は、回転軸３３の外面に放射状に形成される。
【００１５】
回転軸３３は、回転羽３２の回転中心軸を形成し、筐体３１の片側に平行に貫通し、筐体３１内部の永久磁石３４に取り付けられる。さらに、図３に示すように、取付片３３ａは、回転軸３３が筐体３１の内側方向又は外側方向に動くように、筐体３１の外表面に形成される。さらに、ベアリング３３ｂは、回転軸３３を円滑に動作させるために装着される。
【００１６】
永久磁石３４は、回転軸３３の中心軸で回転可能となるように、筐体３１の内部に垂直に装着される。図４に示すように、Ｎ極及びＳ極は同じ外面に交互に形成される。回転軸３３を取り付けるための貫通孔は、円形状を成すように同じ内面に形成される。このとき、回転羽３２の回転力は、回転軸３３を介して永久磁石３４の回転力となる。
【００１７】
誘導コイル３５は、永久磁石３４から一定の幅を取って筐体３１の内部に動かないように装着され、永久磁石３４の回転運動による磁力の変化により発生する誘導起電力によって誘導電流を発生させる。
【００１８】
発光ユニット４０は、複数の発光ダイオードからなる。これらは板１０の上面に装着され、筐体３１の外部に延びる誘導コイル３５に接続され、誘導コイル３５から与えられた誘導電流によって点滅する。好ましくは、透過窓４１は、発光ダイオードの光が外部に透過するように、板１０の上面に設けられる。本発明の実施の形態では、円形の透過窓４１が複数、板１０の上面に設けられ、発光ダイオードが透過窓４１の内部に装着される。
【００１９】
発光ユニット４０は、視覚的効果を高めるために、様々な色の光を放射する複数の発光ダイオードで形成してもよく、あるいは透過窓４１が様々な色を生じさせるように形成してもよい。
【００２０】
発光ダイオードの点滅動作によって発光ユニットがより視認できるように、反射板を発光ダイオードの下部に装着してもよい。
【００２１】
次に、本発明による発光スキーの発光動作を説明する。
【００２２】
発光スキーを装着して斜面を滑降すると、発電器３０の回転羽３２が風により回転され、回転羽３２の駆動力が回転軸３３を介して永久磁石３４に伝達され、回転羽３２及び永久磁石３４が一緒に回転される。
【００２３】
永久磁石３４が回転されるので、永久磁石３４の外面に交互に形成されたＮ極及びＳ極の磁力の変化により、誘導電流が誘導コイル３５に発生する。このように発生した誘導電流は、誘導コイル３５の延長線上に接続された発光ダイオードに与えられ、その結果、発光ダイオードが点灯する。
【００２４】
本発明はその趣旨又は本質から逸脱することなく、いくつかの形態で実施可能なものである。上述した実施の形態は、特に反対の記述がない限り、上述した説明によって限定されるものではなく、むしろ特許請求の範囲に規定された趣旨及び範囲内で広く解釈されるものである。したがって、特許請求の範囲内における全ての変更及び修正又は特許請求の範囲と均等なものは特許請求の範囲に包含されるものである。
【産業上の利用可能性】
【００２５】
上述の通り、本発明では、スキーに発光ユニットが設けられ、一定の視覚的装飾効果をもたらすとともに、夜間でも視認性をよくして衝突事故を防止する。夜間でも、ブーツや膚を視認することが可能である。
【００２６】
さらに、本発明では、バッテリ等の電力装置を追加したり、スイッチを操作したりすることなく、滑降によってスキーの発光ユニットが点滅するため、使用するのに便利である。
【図面の簡単な説明】
【００２７】
【図１】本発明の実施の形態による発光スキーを示す斜視図である。
【図２】本発明における発電器を示す斜視図である。
【図３】本発明における図２の縦断面図である。
【図４】本発明における永久磁石の構造を示す図である。
【符号の説明】
【００２８】
１０  板
２０  ビンディング
３０  発電器
３１  筐体
３２  回転羽
３３  回転軸
３３ａ  取付片
３３ｂ  ベアリング
３４  永久磁石
３５  誘導コイル
３６  保護部材
４０  発光ユニット
４１  透過窓
【図１】
2005521493.tif 000003
【図２】
2005521493.tif 000004
【図３】
2005521493.tif 000005
【図４】
2005521493.tif 000006
【国際調査報告】
2005521493.tif 000007